(57)【特許請求の範囲】
【請求項１】
流水を受けて回転する回転体と、
この回転体に挿通される軸部と、
この軸部が挿通されており、上記回転体とともに回転する第一磁石と、
上記軸部の上記第一磁石と対向する側に設けられる第二磁石と
を備えており、
上記回転体が、プロペラであり、
上記第一磁石と第二磁石とが、互いに対向する側の磁極を同一にした状態で配されており、
この第一磁石と第二磁石との反発によって、上記プロペラが前後にスライドしうるルアー。
【請求項２】
上記第一磁石が、上記プロペラと一体的に設けられている請求項１に記載のルアー。
【請求項３】
魚状に形成された疑似魚部を備えており、
上記軸部が、上記疑似魚部の頭側端部又は尾側端部に差し込まれている請求項１又は２に記載のルアー。
【発明の詳細な説明】
【技術分野】
【０００１】
本発明は、魚釣りに用いられるルアーに関する。
【背景技術】
【０００２】
魚釣りにおいては、合成樹脂又は金属からなり、魚状に形成された疑似魚部を備えたルアーが用いられている。魚を効果的に誘って釣り上げるために、種々のタイプのルアーが開発されている。
【０００３】
特開２００１−２０４３０１号公報には、疑似魚部の尾側端部に差し入れた軸部に回転自在なプロペラを備えたルアーの発明について開示されている。このルアーにおいては、プロペラの回転音やプロペラの回転により生じる水流により魚の興味が惹きつけられ、また、疑似魚部への水の抵抗及びプロペラが受ける水の抵抗により疑似魚部が不規則に泳動して、魚が誘われる。
【特許文献１】特開２００１−２０４３０１号公報
【発明の開示】
【発明が解決しようとする課題】
【０００４】
しかし、前述した従来のルアーにおいては、プロペラが疑似魚部の尾側端部又は上記軸部の後端部に当接して摩擦抵抗により、回転しなくなり、前述した効果が得られなくなるという問題がある。プロペラが軸方向に動くのを阻止することを目的として、プロペラと軸部の後端部との間に、曲面を有する軸受け部を配したルアーもあるが、プロペラが軸受け部を介して軸部の後端部に押圧され、やはりプロペラの回転が阻害される。
【０００５】
本発明の目的は、摩擦抵抗なくスムースに回転し、その回転音やその回転により生じる水流により魚が効果的に誘われ得る回転体を備えるルアーの提供にある。
【課題を解決するための手段】
【０００６】
本発明に係るルアーは、
（１）流水を受けて回転する回転体
（２）この回転体に挿通される軸部、
（３）この軸部が挿通されており、上記回転体とともに回転する第一磁石、
及び
（４）上記軸部の上記第一磁石と対向する側に設けられる第二磁石
を備えており、第一磁石と第二磁石とが、互いに対向する側の磁極を同一にした状態で配されている。
【０００７】
好ましくは、上記第一磁石が、上記回転体と一体的に設けられている。
【０００８】
好ましくは、魚状に形成された疑似魚部を備えており、上記軸部が、上記疑似魚部の頭側端部又は尾側端部に差し込まれており、上記回転体が、プロペラである。
【発明の効果】
【０００９】
本発明のルアーにおいては、第一磁石と第二磁石との反発力により、回転体が疑似魚部の端部、軸部の後端部等のルアーの他の部分から引き離されるので、回転体がこの部分に当接して摩擦抵抗により回転が阻害されることがなく、スムースに回転する。従って、回転体の回転音やその回転により生じる水流により魚が効果的に誘われる。また、第一磁石と第二磁石との反発力により、回転体が前後にスライドすることで、ルアーが不規則に泳動したり振動するので、魚の注意が惹きつけられる。
【発明を実施するための最良の形態】
【００１０】
以下、適宜図面が参照されつつ、好ましい実施形態に基づいて本発明が詳細に説明される。
【００１１】
図１は、本発明の一実施形態に係るルアー１が示された側面図、図２は図１のルアー１の縦断面図である。このルアー１は、本体としての疑似魚部１ａ、アイ２、アイ３、アイ４、リップ５、錘６、錘７、錘８、軸部９、プロペラ１０、第一磁石１１及び第二磁石１２を備えている。疑似魚部１ａは、魚の形を有しており、外面に、目、口、エラ、背骨等が描かれている。疑似魚部１ａはＡＢＳ樹脂等の硬質合成樹脂からなり、中空である。
【００１２】
リップ５は、底辺が丸められた三角形状であり、疑似魚部１ａの顎に突設されている。リップ５は水受けとして機能する。リップ５の先端部の中央部には、球状の錘６が設けられている。リップ５の上側にアイ２が設けられており、腹部に２箇所、アイ３及びアイ４が設けられている。アイ２には釣糸が連結され、アイ３及びアイ４には釣針が連結されるように構成されている。アイ３及びアイ４の上側には錘７及び錘８が設けられている。
【００１３】
軸部９は、オーステナイト系ステンレス鋼のような非磁性材料からなり、疑似魚部１ａの尾側端部に差し込まれており、後端部には釣針を連結するためのリング部９ａを有する。図３は、プロペラ１０が示された正面図である。プロペラ１０は、一対の羽部１０ａ、中央部１０ｂ及び挿通孔１０ｃを備えている。一対の羽部１０ａは中央部１０ｂに直線状に取り付けられている。挿通孔１０ｃはプロペラ１０の中央部１０ｂに設けられており、貫通孔１０ｃにリング状の第一磁石１１を嵌合させた状態で、中央部１０ｂが軸部９に嵌められている。軸部９には、第一磁石１１と対向させて、軸部９のリング部９ａに当接した状態で、第二磁石１２が設けられている。第一磁石１１と第二磁石１２とは、互いに対向する側の磁極を同一にした状態、すなわち、Ｎ極同士又はＳ極同士を向けた状態で配されている。
【００１４】
以上のように構成された本実施形態のルアー１は、第一磁石１１と第二磁石１２とが同一の磁極を対向させており、反発し合うので、第一磁石１１が嵌合されたプロペラ１０は、軸部９のリング部９ａから所定間隔、隔てられることになる。従って、プロペラ１０はリング部９ａに当接して摩擦抵抗により回転するのが阻害されることなく、スムースに回転する。なお、軸部９は、第二磁石１２によって遠ざけられたプロペラ１０が、疑似魚部１ａの尾側端部に当接して回転を阻害されないように、十分な長さを有している。そして、前述したように、軸部９は非磁性材料からなり、この軸部９は第一磁石１１を吸い付けないので、軸部９と第一磁石１１との摩擦抵抗は小さく、プロペラ１０はスムースに回転する。
【００１５】
本実施形態においては、プロペラ１０が停止することなくスムースに回転するので、プロペラ１０の回転音やプロペラ１０の回転により生じる水流により魚の注意が十分に惹きつけられる。また、プロペラ１０が受ける水の抵抗によりルアー１が不規則に泳動するのに加え、第一磁石１１と第二磁石１２との反発によって、プロペラ１０が前後にスライドするので、ルアー１はより不規則な動きをしたり振動することが出来、魚がより効果的に誘われる。
【００１６】
図４は、本発明の他の実施形態に係るルアー２１が示された側面図である。このルアー２１は、本体としての疑似魚部２１ａ、アイ２２、軸部２３、プロペラ２４、第一磁石２５、第二磁石２６、軸部２７、プロペラ２８、第三磁石２９及び第四磁石３０を備えている。疑似魚部２１ａは、魚の形を有しており、外面に、目、背骨等が描かれている。疑似魚部２１ａはＡＢＳ樹脂等の硬質合成樹脂からなり、中空である。
【００１７】
アイ２２には、釣針３１が吊り下げられている。軸部２３は、オーステナイト系ステンレス鋼製で、疑似魚部２１ａの頭側端部に差し込まれており、軸部２３の先端部には釣糸を連結するためのリング部２３ａが設けられている。プロペラ２４は、一対の羽部２４ａ及び中央部２４ｂを備えている。この中央部２４ｂには、リング状の第一磁石２５が嵌合されており、この状態で、中央部２４ｂは軸部２３に嵌められている。疑似魚部２１ａの頭側端部には、第一磁石２５と対向させて、第二磁石２６が設けられている。第一磁石２５と第二磁石２６とは、互いに対向する側の磁極を同一にした状態、すなわち、Ｎ極同士又はＳ極同士を向けた状態で配されている。
【００１８】
軸部２７は、オーステナイト系ステンレス鋼製で、疑似魚部２１ａの尾側端部に差し込まれており、軸部２７の後端部には釣針を連結するためのリング部２７ａが設けられている。プロペラ２８は、一対の羽部２８ａ及び中央部２８ｂを備えている。この中央部２８ｂには、リング状の第三磁石２９が嵌合されており、この状態で、中央部２８ｂは軸部２７に嵌められている。軸部２７には、第三磁石２９と対向させて、リング部２７ａに当接した状態で、第四磁石３０が設けられている。第三磁石２９と第四磁石３０とは、互いに対向する側の磁極を同一にした状態、すなわち、Ｎ極同士又はＳ極同士を向けた状態で配されている。
【００１９】
以上のように構成された本実施形態のルアー２１は、第一磁石２５と第二磁石２６とが同一の磁極を対向させており、反発し合うので、第一磁石２５が嵌合されたプロペラ２４は、疑似魚部２１ａの頭側端部から所定間隔、隔てられることになる。従って、プロペラ２４は疑似魚部２１ａの頭側端部に当接して摩擦抵抗により回転が阻害されることなく、スムースに回転する。軸部２３は非磁性材料からなり、軸部２３は第一磁石２５を吸い付けないので、摩擦抵抗は小さく、プロペラ２４はスムースに回転する。
【００２０】
また、第三磁石２９と第四磁石３０とが同一の磁極を対向させており、反発し合うので、第三磁石２９が嵌合されたプロペラ２８は、リング部２７ａから所定間隔、隔てられることになり、プロペラ２８はリング部２７ａに当接することなく、スムースに回転する。軸部２７は非磁性材料からなり、軸部２７は第三磁石２９を吸い付けないので、摩擦抵抗は小さく、プロペラ２４はスムースに回転する。
【００２１】
なお、軸部２３は、第二磁石２６によって遠ざけられたプロペラ２４が、第二磁石２６と反対側に位置するリング部２３ａに当接して回転を阻害されないように、充分な長さを有している。同様に、軸部２７も、第四磁石３０によって遠ざけられたプロペラ２８が、第三磁石２９と反対側に位置する疑似魚部２１ａの尾側端部に当接して回転を阻害されないように、充分な長さを有している。
【００２２】
本実施形態のルアー２１は、２個のプロペラ２４及びプロペラ２８を有しており、いずれもスムースに回転するので、その回転音やその回転により生じる水流により魚の注意が効果的に惹きつけられる。また、プロペラ２４及びプロペラ２８が受ける水の抵抗によりルアー２１が不規則に泳動するのに加え、第一磁石２５と第二磁石２６との反発によって、プロペラ２４が前後にスライドし、第三磁石２９と第四磁石３０との反発によって、プロペラ２８が前後にスライドするので、ルアー２１はより不規則な泳動をしたり振動することが出来、魚がより効果的に誘われる。
【００２３】
図５は、本発明のさらに他の実施形態に係るルアー４１が示された側面図である。ルアー４１はバズベイトルアーであり、ブレイド４２、ブレイド取付軸部４３、ビーズ４４、傾斜軸部４５、釣糸取付部４６、錘取付軸部４７、錘４８、スカート部４９及びフック部５０を備える。ブレイド４２は、ハート形状の金色の金属板であり、ハート形の２つの曲線部が表側と裏側と互いに反対方向に折り曲げられて形成された水受部４２ａ及び水受部４２ｂを有する。ブレイド４２の中央部には穴部４２ｃが設けられており、ブレイド４２の後端部には、孔を有した軸挿通部４２ｄが突設されている。この穴部４２ｃ及び軸挿通部４２ｄの孔にブレイド取付軸部４３が挿通されている。ブレイド取付軸部４３はオーステナイト系ステンレス鋼からなる。ブレイド取付軸部４３の後端部の下側には、凸部４３ａが設けられている。軸挿通部４２ｄの後端側にはリング状の第一磁石５１が連設されており、軸挿通部４２ｄとともにブレイド取付軸部４３が挿通されている。ブレイド取付軸部４３の後端部には、第一磁石５１に対向し、凸部４３ａに突き当たった状態で、第二磁石５２が設けられている。第一磁石５１と第二磁石５２とは、互いに対向する側の磁極を同一にした状態、すなわち、Ｎ極同士又はＳ極同士を向けた状態で配されている。
【００２４】
ブレイド取付軸部４３と錘取付軸部４７とは、上下に略平行に配されており、傾斜軸部４５及び釣糸取付部４６を介して連結されている。ブレイド取付軸部４３と傾斜軸部４４との連結部にはビーズ４４が挿通されている。釣糸取付部４６は丸く形成されており、釣糸が結び付けられるように構成されている。
【００２５】
錘４８はＡＢＳ樹脂等の硬質合成樹脂からなり、小魚状である。錘４８は、錘取付軸部４７の後端部に取り付けられており、錘４８の後端部には、ゴムや軟質合成樹脂製の線状部材が束ねられて形成されたスカート部４９を有する。錘４８の後端部には、魚を引っ掛けるためのフック部５０が設けられている。
【００２６】
本実施形態のルアー４１は以上のように構成されており、第一磁石５１と第二磁石５２とが同一の磁極によって反発し合うので、第一磁石５１を後端部に備えるブレイド４２は、ブレイド取付軸部４３の凸部４３ａから所定間隔、隔てられることになり、ブレイド４２の後端部が凸部４３ａに当接することなく、スムースに回転する。なお、ブレイド取付軸部４３は、第二磁石５２によって遠ざけられたブレイド４２が、第二磁石５２と反対側に位置するビーズ４４に当接して回転を阻害されないように、充分な長さを有している。そして、ブレイド取付軸部４３は非磁性材料からなり、第一磁石５１を吸い付けないので、ブレイド取付軸部４３と第一磁石５１との摩擦抵抗は小さく、ブレイド４２はスムースに回転する。
【００２７】
本実施形態のルアー４１は、水面付近を泳動させたときに、ブレイド４２が流水を受けてスムースに回転するので、ブレイド４２の回転音、回転により生じる水流、及びブレイド４２の表面における光の反射によって、魚の注意が惹きつけられる。そして、第一磁石５１と第二磁石５２との反発によって、ブレイド４２が前後にスライドするので、ルアー４１はより不規則な動きをすることが出来、しかも振動もするので、魚がより効果的に誘われる。
【００２８】
上記３つの実施形態においては、第一磁石又は第三磁石がルアーのプロペラ又はブレイドに一体的に設けられている場合につき説明しているがこれに限定されるものではない。但し、第一磁石がプロペラ又はブレイドとともに回転し、プロペラ又はブレイドの回転が阻害されないようにする。
【産業上の利用可能性】
【００２９】
本発明は、プロペラ、ブレイド等の回転体を有するルアーに適用され得る。
【図面の簡単な説明】
【００３０】
【図１】図１は、本発明の一実施形態に係るルアーが示された側面図である。
【図２】図２は図１のルアーの縦断面図である。
【図３】図３は、プロペラが示された正面図である。
【図４】図４は、本発明の他の実施形態に係るルアーが示された側面図である。
【図５】図５は、本発明のさらに他の実施形態に係るルアーが示された側面図である。
【符号の説明】
【００３１】
１・・・ルアー
１ａ・・・疑似魚部
２、３、４・・・アイ
５・・・リップ
６、７、８・・・錘
９・・・軸部
１０・・・プロペラ
１０ａ・・・羽部
１０ｂ・・・中央部
１０ｃ・・・挿通孔
１１・・・第一磁石
１２・・・第二磁石
２１・・・ルアー
２１ａ・・・疑似魚部
２３・・・軸部
２４・・・プロペラ
２５・・・第一磁石
２６・・・第二磁石
２７・・・軸部
２８・・・プロペラ
２９・・・第三磁石
３０・・・第四磁石
４１・・・ルアー
４２・・・ブレイド
４３・・・ブレイド取付軸部
４８・・・錘
４９・・・スカート
５１・・・第一磁石
５２・・・第二磁石
【図１】
0004808452.tif 000002
【図２】
0004808452.tif 000003
【図３】
0004808452.tif 000004
【図４】
0004808452.tif 000005
【図５】
0004808452.tif 000006